【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
運動装置が運動を行うための負荷インターフェースと前記負荷インターフェースに連結されるフレームとを具備する、運動装置用機器であって、前記機器が、
前記運動装置の前記負荷インターフェースを、前記負荷インターフェースの機能範囲の複数の機能位置のいずれか１つに固定するリニア調整システムであって、
前記リニア調整システムが第１端と第２端とを備え、前記第１端が前記運動装置の前記負荷インターフェースと前記フレームのうちの一方に固定接続されるよう構成される、リニア調整システムと、
前記リニア調整システムの前記第２端に固定連結される第１側と、前記負荷インターフェースと前記フレームのうちの他方に固定接続されるよう構成された第２側とを備えるセンサであって、
前記センサが、前記リニア調整システムにかかる力を測定し、前記リニア調整システムに加えられる前記力に応じて信号を出力する、センサと、を備え、
前記運動が可動域で対象者の筋肉群に作用し、前記可動域が前記対象者によって加えられ得る第１最大力によって特徴づけられる第１サブ範囲を具備し、
前記可動域が、前記対象者によって加えられ得る第２最大力によって特徴づけられる第２サブ範囲をさらに具備し、
前記第２最大力が前記第１最大力より大きく、
前記リニア調整システムが、前記筋肉群が前記第１サブ範囲を経る必要なく前記第２サブ範囲内にある前記可動域内の一点にある状態で、前記対象者が力を前記負荷インターフェースに加えることを可能にする、前記負荷インターフェースの前記機能範囲の位置に、前記負荷インターフェースを固定する、機器。
【請求項２】
前記機器が、前記リニア調整システムにかかる前記測定力を、前記運動によって前記負荷インターフェースに加えられる実際の力に相関させる相関機構をさらに備える、請求項１に記載の機器。
【請求項３】
前記機器が、前記運動装置に後付けされるよう構成された、請求項１又は２に記載の機器。
【請求項４】
前記運動装置が、レッグプレスマシン、調整可能ケーブルマシン、チェストプレスマシン、マシンベンチプレスから成る群から選択される、請求項３に記載の機器。
【請求項５】
前記機器が、前記運動装置において油圧シリンダ又はウェイトスタックに置き換わる、請求項１に記載の機器。
【請求項６】
前記機器が、前記負荷インターフェースのレバーアーム又は移動可能要素を固定する剛性ビームとして機能する、請求項１に記載の機器。
【請求項７】
前記運動がレッグプレス運動、コアプル運動、チェストプレス運動、又は垂直リフト運動である、請求項１から６のいずれかに記載の機器。
【請求項８】
前記運動装置が調整可能ケーブルマシンであって、前記運動が、片腕ケーブルロウ、Ｖグリップケーブルロウ、クローズグリップ水平プルダウン、ニーリング水平プルダウン、フェイスプル外旋、直立ローテーションチョップ、ケーブルクランチ、ハーフニーリングローテーションチョップ、ケーブルオーバーヘッドトライセプスエクステンション、片腕ケーブル水平上げ、３０度水平プルダウン、ローププレスダウン、９０度ケーブル外旋、背面片腕ケーブルカール、ニーリングローテーションチョップ、ケーブル外旋、ニーリングスタビリティリバースチョップ、ケーブルコアプレス、腕伸ばしプルダウン、ケーブルプレスダウン、直立ケーブルプルオーバー、着席ケーブルロウ、ハーフニーリングスタビリティチョップ、片腕ケーブルチェストプレス、直立サイドクランチ、フェイスプル、ケーブルフロント上げ、ニーリングオブリークケーブルクランチ、又はリバースグリップである、請求項１から６のいずれかに記載の機器。
【請求項９】
前記負荷インターフェースが、１つ又は複数のレッグプレスプレート、１つ又は複数のチェストプレス負荷インターフェース、１つ又は複数のコアプル負荷インターフェース、あるいは１つ又は複数の垂直リフト負荷インターフェースを具備する、請求項１に記載の機器。
【請求項１０】
前記リニア調整システムが、リニアアクチュエータ、クランク駆動機構システム、又は手動調整可能ピンシステムである、請求項１から１０のいずれかに記載の機器。
【請求項１１】
前記リニア調整システムの長さが複数の直線増加位置で直線増加量毎に段階的に調節可能となるよう前記リニア調整システムが構成され、前記複数の直線増加位置の各直線増加位置が、前記負荷インターフェースの前記複数の機能位置の中の１つの機能位置に独自に対応する、請求項１に記載の機器。
【請求項１２】
直線増加位置の選択は、前記機器内に搭載されたコンピュータ制御システムを介して容易となり、前記コンピュータ制御システムが、前記複数の直線増加位置の直線増加位置の間での物理的な調整を自動化し、それによって前記リニア調整システムの前記複数の機能位置の中の１つの機能位置を選択することが、現在選択された前記機能位置を示し、また、前記複数の直線増加位置の所定の直線増加位置への位置付けの反復性を可能にする、請求項１１に記載の機器。
【請求項１３】
前記直線増加量が固定量であり、０．３インチから０．５インチの間、０．５インチから１．０インチの間、１．０インチから１．５インチの間、１．５インチから２．０インチの間、２．０インチから２．５インチの間、２．５インチから３．０インチの間、３．０インチから３．５インチの間、３．５インチから４．０インチの間、４．０インチから４．５インチの間、又は４．５インチから５．０インチの間である、請求項１１に記載の機器。
【請求項１４】
前記リニア調整システムが、
固定部分と、
前記固定部分に軸方向に整列した延出可能部分であって、前記固定部分に対して直線方向に移動可能な延出可能部分と、
前記固定部分に対して選択した位置で前記延出可能部分をロックするロック機構と、を備える、請求項１に記載の機器。
【請求項１５】
前記リニア調整システムが、前記固定部分に対して前記直線方向に沿って、前記延出可能部分を手動で移動させるためのハンドルをさらに備える、請求項１４に記載の機器。
【請求項１６】
前記固定部分及び前記延出可能部分が同心円状にある、請求項１４に記載の機器。
【請求項１７】
前記固定部分及び前記延出可能部分が同心円状にあり、実質的に同一の断面形状を有する、請求項１４に記載の機器。
【請求項１８】
前記延出可能部分が、前記固定部分より小さい呼び径を有する、請求項１４に記載の機器。
【請求項１９】
前記固定部分が前記固定部分の壁部上に形成された穴部を有し、
前記延出可能部分が、前記延出部分の壁部上に形成され、前記リニア調整の前記直線方向に、互いに離間した複数の穴部を有し、
前記ロック機構が、前記固定部分上の前記穴部を前記延出可能部分上の前記複数の穴部に係合させ、前記固定部分に対して前記延出可能部分をロックするよう構成される締め具を備え、前記複数の穴部の各穴部が、前記負荷インターフェースの前記複数の機能位置の中の１つの機能位置に独自に対応する、請求項１４に記載の機器。
【請求項２０】
前記リニア調整システムの前記第１端を前記負荷インターフェースと前記フレームのうちの一方に固定接続させる第１コネクタと、
前記センサの前記第２側を前記負荷インターフェースと前記フレームのうちの他方に固定接続させる第２コネクタと、
前記リニア調整システムの前記第２端を前記センサの前記第１側に固定接続させる第３コネクタと、のうちの１つ又は複数をさらに備える、請求項１に記載の機器。
【請求項２１】
前記第１コネクタ又は前記第２コネクタが、タング、クレビス、クランプ、締め具、ピン、ネジ、ボルト、及びリングから成る群から選択される、請求項２０に記載の機器。
【請求項２２】
前記リニア調整の前記第１端の、前記負荷インターフェースと前記フレームのうちの前記一方への接続は、前記負荷インターフェース又は前記フレームから延出する前記運動装置内の１つ又は複数の部品に、前記リニア調整の前記第１端を接続させることによって達成される、請求項１に記載の機器。
【請求項２３】
前記リニア調整の前記第１端の、前記負荷インターフェースと前記フレームのうちの前記一方への接続は、前記負荷インターフェース又は前記フレームから延出する前記運動装置内の１つ又は複数のバー又はプレートに、前記リニア調整の前記第１端を接続させることによって達成される、請求項１に記載の機器。
【請求項２４】
前記センサの前記第２側の、前記負荷インターフェースと前記フレームのうちの前記他方への接続は、前記負荷インターフェース又は前記フレームから延出する前記運動装置内の１つ又は複数の部品に、前記センサの前記第２側を接続させることによって達成される、請求項１に記載の機器。
【請求項２５】
前記センサの前記第２側の、前記負荷インターフェースと前記フレームのうちの前記他方への接続は、前記負荷インターフェース又は前記フレームから延出する前記運動装置内の１つ又は複数のバー又はプレートに、前記センサの前記第２側を接続させることによって達成される、請求項１に記載の機器。
【請求項２６】
前記センサが、
前記リニア調整システムに加えられる力に応じてアナログ信号を出力するロードセルと、
前記アナログ信号をデジタル信号に変換するための電子回路と、
前記デジタル信号を出力するポートと、を備える、請求項１に記載の機器。
【請求項２７】
前記電子回路が前記アナログ信号をＵＳＢ対応型デジタル信号に変換し、前記ポートがＵＳＢポートである、請求項２６に記載の機器。
【請求項２８】
前記センサが、前記運動装置用、前記複数の機能位置の各機能位置用、及び、複数のウェイト中の各ウェイト用の所定マスター表を記憶し、前記所定マスター表が、前記センサによって測定される力と、前記負荷インターフェースに加えられる対応する力との一式を具備する、請求項１に記載の機器。
【請求項２９】
前記センサが、運動する人によって前記リニア調整システムに加えられる前記力と、前記負荷インターフェースの前記機能位置に基づいて、前記負荷インターフェースに加えられる前記力を決定する、前記所定マスター表を使用するプロセッサをさらに備える、請求項２８に記載の機器。
【請求項３０】
前記センサが、電気的に、又は、ワイヤレスでモニター機器に接続され、前記センサが、前記リニア調整システムにかかる前記測定力又は前記リニア調整システムにかかる前記測定力から算出される前記運動装置の前記負荷インターフェースに加えられる力を前記モニター機器に出力する、請求項１に記載の機器。
【請求項３１】
前記モニター機器が、ディスプレイ、スマートフォン、コンピュータ、サーバー、又はレシーバーである、請求項３０に記載の機器。
【請求項３２】
前記モニター機器が、前記複数の機能位置の、前記リニア調整システムが前記負荷インターフェースを固定する前記機能位置の決定を自動化する電気制御システムを備えるか、又は、連動して作動する、請求項３０に記載の機器。
【請求項３３】
前記リニア調整システムがリニアアクチュエータを備え、
前記モニター機器が、前記アクチュエータの延出及び後退を制御する電源切換回路又はサーボモーターコントローラを備える周辺電子機器を備えるか、又は連動して作動し、それによって、前記リニア調整システムが、前記複数の機能位置の、前記リニア調整システムが前記負荷インターフェースを固定する機能位置に前記負荷インターフェースを移動させる、請求項３２に記載の機器。
【請求項３４】
前記モニター機器が、前記リニア調整システムにかかる前記測定力、又は、前記リニア調整システムにかかる前記測定力から算出される、前記負荷インターフェースに加えられる前記力を表示する、請求項３０に記載の機器。
【請求項３５】
前記モニター機器が、前記リニア調整システムにかかる前記測定力、又は、前記リニア調整システムにかかる前記測定力から算出される、前記負荷インターフェースに加えられる前記力に基づいて、骨形成負荷を決定する、請求項３０に記載の機器。
【請求項３６】
前記モニター機器が、前記リニア調整システムにかかる前記測定力、又は、前記リニア調整システムにかかる前記測定力から算出される、前記負荷インターフェースに加えられる前記力を表示する、請求項３０に記載の機器。
【請求項３７】
前記モニター機器によって、ユーザーが、前記負荷インターフェース用の前記複数の機能位置中の１つの機能位置を選択することができる、請求項３０に記載の機器。
【請求項３８】
前記モニター機器が前記負荷インターフェースの前記複数の機能位置の中の現在の機能位置を示す、請求項３０に記載の機器。
【請求項３９】
前記モニター機器が、前記機器を使用する現在のセッションにおけるユーザーの現在の力の出力を、
（ｉ）前記ユーザーが前記機器を使用した現在のセッション直前に前記機器を使用したセッションにおいて、同一ユーザーが生成した力の大きさ、（ｉｉ）前記機器を使用した以前のセッションで、前記ユーザーによって最高の力が達成されたセッション、及び（ｉｉｉ）前記機器を使用して前記ユーザーが行った初回セッション、のうちのいずれかとの数値又はグラフによる比較を提供する、請求項３０に記載の機器。
【請求項４０】
前記第１端が、第１コネクタを介して前記運動装置の前記負荷インターフェースと前記フレームのうちの一方に固定接続され、
前記センサの前記第２側が、第２コネクタを介して前記運動装置の前記負荷インターフェース及び前記フレームのうちの他方に固定接続される、請求項１に記載の機器。